(57)【要約】【課題】側条用施肥ポンプの良好なメンテナンス性を維持しつつ、左右の施肥タンク内の流動性肥料を均等に消費できるようにして、流動性肥料の補給サイクルを可及的に長くするとともに、機体の左右バランスを良好に保つ。【解決手段】走行機体１の左右両側に施肥タンク７Ｌ、７Ｒを備える乗用型田植機において、施肥タンク７Ｌ、７Ｒ内の流動性肥料を複数の側条用施肥ノズル８Ａに送る側条用施肥ポンプ９Ａを備え、左右いずれか一方の施肥タンク７Ｒの下方に全条分の側条用施肥ポンプ９Ａを並列状に配置すると共に、左右の施肥タンク７Ｌ、７Ｒを連結する連結管１０の中央分岐部から側条用施肥ポンプ９Ａに配管する。【選択図】図４
2010172313.tif 000002
【特許請求の範囲】
【請求項１】
機体の左右両側に施肥タンクを備える乗用型田植機において、前記施肥タンク内の流動性肥料を複数の側条用施肥ノズルに送る側条用施肥ポンプを備え、左右いずれか一方の施肥タンクの下方に全条分の側条用施肥ポンプを並列状に配置すると共に、左右の施肥タンクを連結する連結管の中央分岐部から側条用施肥ポンプに配管したことを特徴とする乗用型田植機における施肥ポンプの配置及び配管構造。
【請求項２】
前記施肥タンク内の流動性肥料を複数の深層用施肥ノズルに送る深層用施肥ポンプを備え、左右いずれか他方の施肥タンクの下方に全条分の深層用施肥ポンプを並列状に配置すると共に、左右の施肥タンクを連結する連結管の中央分岐部から深層用施肥ポンプに配管したことを特徴とする請求項１記載の乗用型田植機における施肥ポンプの配置及び配管構造。
【発明の詳細な説明】
【技術分野】
【０００１】
本発明は、機体の左右両側に施肥タンクを備えた乗用型田植機における施肥ポンプの配置及び配管構造に関する。
【背景技術】
【０００２】
機体の左右両側に施肥タンクを備え、施肥タンク内の流動性肥料を施肥ノズルから土中に施す乗用型田植機が知られている。例えば、特許文献１に示される乗用型田植機は、施肥タンク内の流動性肥料を複数の側条用施肥ノズルに送る側条用施肥ポンプと、施肥タンク内の流動性肥料を複数の深層用施肥ノズルに送る深層用施肥ポンプとを備えており、苗植付作業と同時に、側条と深層の二段に施肥を行うように構成されている。
【０００３】
また、特許文献１に示される乗用型田植機では、左右いずれか一方の施肥タンクの下方に側条用施肥ポンプを配置し、他方の施肥タンクの下方に深層用施肥ポンプを配置しているので、機体の側部から施肥ポンプを容易にメンテナンスできるという利点がある。
【先行技術文献】
【特許文献】
【０００４】
【特許文献１】特開２００７−８２５０７号公報
【発明の概要】
【発明が解決しようとする課題】
【０００５】
しかしながら、特許文献１に示される乗用型田植機では、一方の施肥タンク内の流動性肥料を側条施肥に用い、他方の施肥タンク内の流動性肥料を深層施肥に用いるので、側条施肥と深層施肥の施肥量の違いから、左右の施肥タンク内の流動性肥料が均等に消費されず、いわゆる片減りが発生するという問題がある。そして、片減りが発生すると、流動性肥料の補給サイクルが短くなるだけでなく、機体の左右バランスを崩す惧れがある。
【課題を解決するための手段】
【０００６】
本発明は、上記の如き実情に鑑みこれらの課題を解決することを目的として創作されたものであって、請求項１の発明は、機体の左右両側に施肥タンクを備える乗用型田植機において、前記施肥タンク内の流動性肥料を複数の側条用施肥ノズルに送る側条用施肥ポンプを備え、左右いずれか一方の施肥タンクの下方に全条分の側条用施肥ポンプを並列状に配置すると共に、左右の施肥タンクを連結する連結管の中央分岐部から側条用施肥ポンプに配管したことを特徴とする。
また、請求項２の発明は、前記施肥タンク内の流動性肥料を複数の深層用施肥ノズルに送る深層用施肥ポンプを備え、左右いずれか他方の施肥タンクの下方に全条分の深層用施肥ポンプを並列状に配置すると共に、左右の施肥タンクを連結する連結管の中央分岐部から深層用施肥ポンプに配管したことを特徴とする。
【発明の効果】
【０００７】
請求項１の発明とすることにより、側条用施肥ポンプの良好なメンテナンス性を維持しつつ、左右の施肥タンク内の流動性肥料を均等に消費できるので、流動性肥料の補給サイクルを可及的に長くできるだけでなく、機体の左右バランスを良好に保つことができる。
また、請求項２の発明とすることにより、側条用施肥ポンプ及び深層用施肥ポンプを備える乗用型田植機においても、施肥ポンプの良好なメンテナンス性を維持しつつ、左右の施肥タンク内の流動性肥料を均等に消費することができる。
【図面の簡単な説明】
【０００８】
【図１】乗用型田植機の側面図である。
【図２】乗用型田植機の平面図である。
【図３】施肥ポンプの配置及び配管構成を示す正面図である。
【図４】施肥ポンプの配置及び配管構成を左上前方から見た斜視図である。
【図５】施肥ポンプの配置及び配管構成を右下後方から見た斜視図である。
【図６】施肥ポンプの配置及び配管構成の変形例を示す正面図である。
【発明を実施するための形態】
【０００９】
以下、本発明の実施の形態について、図面に基づいて説明する。図１及び図２において、１は乗用型田植機の走行機体であって、該走行機体１の後部には、昇降リンク機構２を介して植付作業機３が連結されている。植付作業機３には、前高後低状に傾斜した苗載台４が設けられ、ここに複数のマット苗が左右並列状に載置される。苗載台４に載置されたマット苗は、苗載台４の傾斜や縦送り機構５の送り作用により苗載台４の下端部まで移送される。苗載台４の下端部近傍には、植付爪を備える植付機構６が設けられており、この植付機構６によってマット苗が分離され、圃場に植え付けられる。
【００１０】
図１〜図５に示すように、本発明に係る乗用型田植機には、施肥装置が設けられている。施肥装置は、走行機体１側に設けられる施肥タンク７と、植付作業機３側に設けられる施肥ノズル８と、施肥タンク７内の流動性肥料を施肥ノズル８に送る施肥ポンプ９と、施肥ポンプ９から施肥ノズル８に至る肥料送り経路で肥料の詰まりを検知する詰まり検知部Ｋとを備えて構成されている。施肥タンク７は、２つ備えており、機体前部の左右両側に振分け状に配置されている。
【００１１】
本実施形態の乗用型田植機は、２種類の施肥を同時に行うように構成されている。一方の施肥は、植付条の側方に沿い、土中の比較的浅い層に流動性肥料を吐出する側条施肥であり、他方の施肥は、２列の植付条の中間位置で、土中の比較的深い層に流動性肥料を吐出する深層施肥である。そのため、乗用型田植機は、側条用施肥ノズル８Ａと深層用施肥ノズル８Ｂを別個に備えると共に、側条用施肥ポンプ９Ａと深層用施肥ポンプ９Ｂも別個に備えている。深層用施肥ノズル８Ｂは、側条用施肥ノズル８Ａよりも長尺に形成され、先端の吐出口を側条用施肥ノズル８Ａよりも深い位置にセットして施肥作業を行う。尚、図１は、格納姿勢の側条用施肥ノズル８Ａ及び深層用施肥ノズル８Ｂを示している。
【００１２】
次に、本発明の特徴である施肥ポンプ９Ａ、９Ｂの配置及び配管構造について、図３〜図６を参照して説明する。
【００１３】
各施肥ポンプ９Ａ、９Ｂは、それぞれ、施肥条数分（例えば、側条施肥６条分、深層施肥３条分）の定容量ポンプを並列状に組み込んでユニット化されており、図示しないトランスミッションから入力軸９ａに入力される動力でポンプ駆動する。また、各施肥ポンプ９Ａ、９Ｂは、ぞれぞれ、変速機構９ｂを備えており、各変速機構９ｂの変速操作にもとづいて、側条施肥量と深層施肥量を別個に調節することができる。
【００１４】
側条用施肥ポンプ９Ａは、左右いずれか一方の施肥タンク７Ｒの下方に全条分が並列状に配置され、深層用施肥ポンプ９Ｂは、他方の施肥タンク７Ｌの下方に全条分が並列状に配置される。このようにすると、走行機体１の側部から各施肥ポンプ９Ａ、９Ｂを容易にメンテナンスでき、しかも、各施肥ポンプ９Ａ、９Ｂが個別に変速機構９ｂを備えるので、両施肥ポンプ９Ａ、９Ｂ間に動力伝動経路を構成することなく、トランスミッションから左右にポンプ駆動軸（図示せず）を突出するだけで、両施肥ポンプ９Ａ、９Ｂを駆動させることが可能になる。
【００１５】
左右の施肥タンク７Ｌ、７Ｒは、連結管１０を介して互いに連結されている。連結管１０は、左側の施肥タンク７Ｌに接続される左側連結管１０Ｌと、右側の施肥タンク７Ｒに接続される右側連結管１０Ｒと、左右の連結管１０Ｌ、１０Ｒ同士を連結する中央分岐ユニット（中央分岐部）１１とを備えて構成されている。中央分岐ユニット１１は、各連結管１０Ｌ、１０Ｒが接続される２つの入口１１ａと、それらの合流部から分岐される２つの出口１１ｂとを備えており、一方の出口１１ｂは、ホース１２を介して側条用施肥ポンプ９Ａに接続され、他方の出口１１ｂは、ホース１３を介して深層用施肥ポンプ９Ｂに接続される。尚、図中の符号１４は、各施肥ポンプ９Ａ、９Ｂから後方へ配管される施肥条数分の施肥管、符号１５は、施肥ポンプ９Ａ、９Ｂの洗浄時などに使用されるドレンホース、符号１６は、不使用時にドレンホース１５を支持するドレンホース支持具である。
【００１６】
つまり、走行機体１の左右両側に施肥タンク７Ｌ、７Ｒを備える乗用型田植機において、施肥タンク７Ｌ、７Ｒ内の流動性肥料を複数の側条用施肥ノズル８Ａに送る側条用施肥ポンプ９Ａと、施肥タンク７Ｌ、７Ｒ内の流動性肥料を複数の深層用施肥ノズル８Ｂに送る深層用施肥ポンプ９Ｂとを備え、左右いずれか一方の施肥タンク７Ｒの下方に全条分の側条用施肥ポンプ９Ａを並列状に配置すると共に、左右の施肥タンク７Ｌ、７Ｒを連結する連結管１０の中央分岐部から側条用施肥ポンプ９Ａに配管し、さらに、左右いずれか他方の施肥タンク７Ｌの下方に全条分の深層用施肥ポンプ９Ｂを並列状に配置すると共に、連結管１０の中央分岐部から深層用施肥ポンプ９Ｂに配管したので、両施肥ポンプ９Ａ、９Ｂの良好なメンテナンス性を維持しつつ、左右の施肥タンク７Ｌ、７Ｒ内の流動性肥料を均等に消費することができる。その結果、施肥タンク７Ｌ、７Ｒ内における流動性肥料の片減りを防止し、流動性肥料の補給サイクルを可及的に長くできるだけでなく、機体の左右バランスを良好に保つことができる。
【００１７】
以上、側条用施肥ポンプ９Ａ及び深層用施肥ポンプ９Ｂを備える乗用型田植機を例示して本発明の実施形態を説明したが、本実施形態の配管構造は、深層用施肥ポンプ９Ｂの有無などに応じて柔軟に変更することができる。例えば、深層用施肥ポンプ９Ｂを設けない仕様の乗用型田植機では、図６に示すように、ホース１３を省き、中央分岐ユニット１１の出口１１ｂをキャップ１７で塞ぐ。
【００１８】
叙述の如く構成された本実施形態によれば、走行機体１の左右両側に施肥タンク７Ｌ、７Ｒを備える乗用型田植機において、施肥タンク７Ｌ、７Ｒ内の流動性肥料を複数の側条用施肥ノズル８Ａに送る側条用施肥ポンプ９Ａを備え、左右いずれか一方の施肥タンク７Ｒの下方に全条分の側条用施肥ポンプ９Ａを並列状に配置すると共に、左右の施肥タンク７Ｌ、７Ｒを連結する連結管１０の中央分岐部から側条用施肥ポンプ９Ａに配管したので、側条用施肥ポンプ９Ａの良好なメンテナンス性を維持しつつ、左右の施肥タンク７Ｌ、７Ｒ内の流動性肥料を均等に消費でき、その結果、流動性肥料の補給サイクルを可及的に長くできるだけでなく、機体の左右バランスを良好に保つことができる。
【００１９】
また、本実施形態の乗用型田植機は、施肥タンク７Ｌ、７Ｒ内の流動性肥料を複数の深層用施肥ノズル８Ｂに送る深層用施肥ポンプ９Ｂを備え、左右いずれか他方の施肥タンク７Ｌの下方に全条分の深層用施肥ポンプ９Ｂを並列状に配置すると共に、左右の施肥タンク７Ｌ、７Ｒを連結する連結管１０の中央分岐部から深層用施肥ポンプ９Ｂに配管したので、側条用施肥ポンプ９Ａ及び深層用施肥ポンプ９Ｂを備える乗用型田植機においても、施肥ポンプ９Ａ、９Ｂの良好なメンテナンス性を維持しつつ、左右の施肥タンク７Ｌ、７Ｒ内の流動性肥料を均等に消費することができる。
【００２０】
尚、本発明は、前記実施形態に限定されないことは勿論であって、特許請求の範囲内で任意の変更実施が可能であることは言うまでもない。
【符号の説明】
【００２１】
１    走行機体
３    植付作業機
７Ｌ  左側施肥タンク
７Ｒ  右側施肥タンク
８Ａ  側条用施肥ノズル
８Ｂ  深層用施肥ノズル
９Ａ  側条用施肥ポンプ
９Ｂ  深層用施肥ポンプ
１０  連結管
１１  中央分岐ユニット
１２  ホース
１３  ホース
【図１】
2010172313.tif 000003
【図２】
2010172313.tif 000004
【図３】
2010172313.tif 000005
【図４】
2010172313.tif 000006
【図５】
2010172313.tif 000007
【図６】
2010172313.tif 000008